(57)【特許請求の範囲】
【請求項１】
装置本体から給電されるカートリッジ電極を有し、前記装置本体に着脱可能に設けられ、現像剤を収容するカートリッジと、
前記カートリッジ電極と対向するように配置され、前記カートリッジ電極に電気的に接続可能に構成された本体電極であって、前記カートリッジ電極との対向方向に移動可能な本体電極と、
前記カートリッジ電極と対向するように配置され、所定の移動量で移動される移動部材であって、前記カートリッジ電極を、前記本体電極に接触する第１位置と、前記第１位置から前記対向方向に移動される第２位置とに移動させる移動部材と、
前記カートリッジ電極の前記第１位置と前記第２位置との間の移動に伴って前記本体電極が移動した場合に、前記装置本体に装着された前記カートリッジが新品であると判断する判断手段とを備えることを特徴とする、画像形成装置。
【請求項２】
前記本体電極は、前記カートリッジ電極の前記対向方向一方側に配置され、
前記移動部材は、前記カートリッジ電極の前記対向方向他方側に配置され、凸部と、前記凸部から前記対向方向他方側に凹む凹部とを有し、
前記カートリッジ電極は、前記凸部と当接することにより前記第１位置に配置され、前記凹部と対向することにより前記第２位置に配置されることを特徴とする、請求項１に記載の画像形成装置。
【請求項３】
前記凹部および／または前記カートリッジ電極は、
前記移動部材の前記カートリッジ電極に対する移動方向下流側から前記移動方向上流側へ向かうに従って、前記対向方向一方側へ傾斜される第１傾斜面と、
前記移動方向下流側から前記移動方向上流側へ向かうに従って、前記対向方向他方側へ傾斜される第２傾斜面と
を有することを特徴とする、請求項２に記載の画像形成装置。
【請求項４】
前記移動部材は、前記装置本体からの駆動力が伝達される歯部と、前記駆動力が伝達されない欠け歯部とを含む欠け歯ギヤを有することを特徴とする、請求項１〜３のいずれか一項に記載の画像形成装置。
【請求項５】
前記移動部材は、回転可能に設けられていることを特徴とする、請求項４に記載の画像形成装置。
【請求項６】
前記移動部材は、直線移動可能に設けられていることを特徴とする、請求項４に記載の画像形成装置。
【請求項７】
前記カートリッジ電極は、前記対向方向と直交する直交方向に延び、
前記移動部材は、前記歯部に対する前記駆動力の伝達が終了した状態で、前記カートリッジ電極を前記第１位置に保持する保持部を備え、
前記保持部は、少なくとも、前記カートリッジ電極における前記本体電極との接点部の前記直交方向両側を保持するように構成されていることを特徴とする、請求項４〜６のいずれか一項に記載の画像形成装置。
【請求項８】
前記カートリッジ電極は、
前記直交方向一端部に設けられた基端部と、
前記基端部の前記直交方向他方側に連続され、前記基端部よりも高い剛性を有する剛性部と、を備え、
前記保持部は、前記剛性部を保持するように構成されていることを特徴とする、請求項７に記載の画像形成装置。
【請求項９】
前記第２位置は、前記第１位置よりも前記対向方向他方側に位置し、
前記カートリッジ電極は、前記歯部に前記駆動力が伝達される前の状態で、前記第２位置に配置され、前記歯部に前記駆動力が伝達されることにより、前記第１位置に配置されることを特徴とする、請求項４〜８のいずれか一項に記載の画像形成装置。
【請求項１０】
前記第２位置は、前記第１位置よりも前記対向方向他方側に位置し、
前記カートリッジ電極は、前記歯部に前記駆動力が伝達される前の状態で、前記第１位置に配置され、前記歯部に前記駆動力が伝達されることにより、一旦、前記第２位置に配置され、その後、再び前記第１位置に配置されることを特徴とする、請求項４〜８のいずれか一項に記載の画像形成装置。
【請求項１１】
前記装置本体は、前記本体電極の位置を検知する検知手段をさらに有し、
前記判断手段は、
所定時間内に、前記検知手段が、前記カートリッジ電極が前記第１位置に配置されたときの前記本体電極の位置を検知したときに、前記カートリッジが前記装置本体に装着されていると判断し、
所定時間内に、前記検知手段が、前記カートリッジ電極が前記第１位置に配置されたときの前記本体電極の位置を検知しなかったときに、前記カートリッジが前記装置本体から離脱されていると判断することを特徴とする、請求項１〜１０のいずれか一項に記載の画像形成装置。
【請求項１２】
現像剤を収容するように構成され、第１側壁と、前記第１側壁の一方側に間隔を隔てて対向配置される第２側壁とを含む筐体と、
前記第１側壁または前記第２側壁に設けられ、外部からの駆動力を受けるための駆動入力部と、
前記第２側壁に設けられ、外部から給電されるためのカートリッジ電極と、
前記カートリッジ電極と対向配置するように前記第２側壁に設けられ、前記駆動入力部に入力された駆動力が伝達されることにより所定の移動量で移動されるように構成された移動部材と
を備え、
前記移動部材は、前記カートリッジ電極を、外部から給電される第１位置から、前記カートリッジ電極と前記移動部材との対向方向に移動される第２位置を経て、再び、前記第１位置へ移動させることを特徴とする、カートリッジ。
【請求項１３】
前記移動部材は、凸部と、前記凸部から前記対向方向他方側に凹む凹部とを有し、
前記カートリッジ電極は、前記凸部と当接することにより前記第１位置に配置され、前記凹部と対向することにより前記第２位置に配置されることを特徴とする、請求項１２に記載のカートリッジ。
【請求項１４】
前記凹部および／または前記カートリッジ電極には、
前記移動部材の前記カートリッジ電極に対する移動方向下流側から前記移動方向上流側へ向かうに従って、前記対向方向一方側へ傾斜される第１傾斜面と、
前記移動方向下流側から前記移動方向上流側へ向かうに従って、前記対向方向他方側へ傾斜される第２傾斜面と
を有することを特徴とする、請求項１３に記載のカートリッジ。
【請求項１５】
前記移動部材は、前記駆動入力部から前記駆動力が伝達される歯部と、前記駆動力が伝達されない欠け歯部とを含む欠け歯ギヤを有することを特徴とする、請求項１２〜１４のいずれか一項に記載のカートリッジ。
【請求項１６】
前記移動部材は、回転可能に設けられていることを特徴とする、請求項１５に記載のカートリッジ。
【請求項１７】
前記移動部材は、直線移動可能に設けられていることを特徴とする、請求項１５に記載のカートリッジ。
【請求項１８】
前記カートリッジ電極は、前記対向方向と直交する直交方向に延び、
前記移動部材は、前記歯部に対する前記駆動力の伝達が終了した状態で、前記カートリッジ電極を前記第１位置に保持する保持部を備えることを特徴とする、請求項１５〜１７のいずれか一項に記載のカートリッジ。
【請求項１９】
前記カートリッジ電極は、
前記直交方向一端部に設けられた基端部と、
前記基端部の前記直交方向他方側に連続され、前記基端部よりも高い剛性を有する剛性部と、を備え、
前記保持部は、前記剛性部を保持するように構成されていることを特徴とする、請求項１８に記載のカートリッジ。
【発明の詳細な説明】
【技術分野】
【０００１】
本発明は、電子写真方式が採用される画像形成装置、および、その画像形成装置に装着されるカートリッジに関する。
【背景技術】
【０００２】
電子写真方式のプリンタとして、感光体と、感光体にトナーを供給する現像カートリッジとを備えるプリンタが知られている。
【０００３】
このようなプリンタでは、装着された現像カートリッジの情報（例えば、現像カートリッジが新品であるか否かなど）を判断するための新品検出手段を備えている。
【０００４】
このような新品検知手段として、例えば、現像カートリッジの側面に、導電性の合成樹脂板からなり、本体フレーム内のアクチュエータに当接される検知突起と、本体フレーム内の給電電極に当接される給電電極とを一体的に備える新旧判別部材が提案されている（たとえば、下記特許文献１参照。）。
【０００５】
この新旧判別部材は、ギヤカバーによって被覆されており、新品位置から旧品位置へ不可逆に変位可能である。そして、検知突起および給電電極は、新旧判別部材が新品位置にあるときには、ギヤカバー内に収容されており、新旧判別部材が旧品位置に変位されることにより、ギヤカバーの開口部から露出される。
【先行技術文献】
【特許文献】
【０００６】
【特許文献１】特開２００７−７９２８４号公報
【発明の概要】
【発明が解決しようとする課題】
【０００７】
しかるに、上記した特許文献１に記載の新旧判別部材では、検知突起と給電突起とが一体的に設けられており、旧品位置において、検知突起をアクチュエータに当接させるとともに、給電突起を給電電極に当接させている。
【０００８】
そのため、アクチュエータに対する検知突起の位置決めと、給電電極に対する給電突起の位置決めとを１つの新旧判別部材で両立する必要があり、アクチュエータおよび給電電極と、新旧判別部材との高い位置決め精度が必要であった。
【０００９】
そのため、例えば、現像カートリッジの装着状態が少しでも異なると、アクチュエータおよび給電電極と、新旧判別部材との位置決め精度が不十分となる。そして、例えば、給電突起と給電電極とが当接されたときに、アクチュエータと検知突起とが当接されない場合があり、新品の現像カートリッジが装着されたにもかかわらず、旧品であると誤検知してしまうといった問題が起こる。
【００１０】
そこで、本発明の目的は、確実にカートリッジの状態を検知することができる画像形成装置、および、その画像形成装置に装着されるカートリッジを提供することにある。
【課題を解決するための手段】
【００１１】
（１）上記した目的を達成するために、本発明の画像形成装置は、装置本体から給電されるカートリッジ電極を有し、装置本体に着脱可能に設けられ、現像剤を収容するカートリッジと、カートリッジ電極と対向するように配置され、カートリッジ電極に電気的に接続可能に構成された本体電極と、所定の移動量で移動される移動部材と、装置本体に装着されたカートリッジが新品であると判断する判断手段とを備えている。
【００１２】
本体電極は、カートリッジ電極との対向方向に移動可能である。
【００１３】
移動部材は、カートリッジ電極と対向するように配置され、カートリッジ電極を、本体電極に接触する第１位置と、第１位置から対向方向に移動される第２位置とに移動させる。
【００１４】
判断手段は、カートリッジ電極の第１位置と第２位置との間の移動に伴って本体電極が移動した場合に、装置本体に装着されたカートリッジが新品であると判断する。
【００１５】
このような構成によれば、カートリッジ電極に電気的に接続される本体電極を、カートリッジ電極の第１位置と第２位置とへの移動に伴って移動させ、本体電極の移動により、カートリッジの状態を新品であると判断することができる。つまり、カートリッジ電極を利用して、カートリッジの状態を検知することができる。
【００１６】
そのため、カートリッジ電極と本体電極との位置決め精度を確保するだけで、カートリッジへの給電と、カートリッジの状態の検知とを、両方、実施することができ、確実に、カートリッジの状態を検知することができる。
（２）また、移動部材は、凸部と、凸部から対向方向他方側に凹む凹部とを有していてもよい。この場合、カートリッジ電極は、凸部と当接することにより第１位置に配置され、凹部と対向することにより第２位置に配置されてもよい。
【００１７】
このような構成によれば、簡易な構成で、カートリッジ電極を対向方向に移動させることができる。
【００１８】
また、カートリッジ電極を、第１位置から第２位置へ、対向方向他方側へ凹むように移動させることができる。
（３）また、凹部および／またはカートリッジ電極は、移動部材のカートリッジ電極に対する移動方向下流側から移動方向上流側へ向かうに従って、対向方向一方側へ傾斜される第１傾斜面と、移動方向下流側から移動方向上流側へ向かうに従って、対向方向他方側へ傾斜される第２傾斜面とを有してもよい。
【００１９】
このような構成によれば、カートリッジ電極を、第１傾斜面または第２傾斜面に沿うように対向方向に移動させることができる。
【００２０】
そのため、カートリッジ電極を対向方向に円滑に移動させることができる。
（４）また、移動部材は、装置本体からの駆動力が伝達される歯部と、駆動力が伝達されない欠け歯部とを含む欠け歯ギヤを有してもよい。
【００２１】
このような構成によれば、移動部材を、確実に、所定の移動量で移動させることができる。
（５）また、移動部材は、回転可能に設けられていてもよい。
【００２２】
このような構成によれば、簡易な構成で確実に、カートリッジ電極を移動させることができる。
（６）また、移動部材は、直線移動可能に設けられていてもよい。
【００２３】
このような構成によれば、簡易な構成で確実に、カートリッジ電極を移動させることができる。
（７）また、カートリッジ電極は、対向方向と直交する直交方向に延びていてもよい。また、移動部材は、歯部に対する駆動力の伝達が終了した状態で、カートリッジ電極を第１位置に保持する保持部を備えていてもよい。この場合、保持部は、少なくとも、カートリッジ電極における本体電極との接点部の直交方向両側を保持するように構成されていてもよい。
【００２４】
このような構成によれば、移動部材の移動が終了した後において、カートリッジ電極と本体電極とを確実に接触させることができる。
【００２５】
また、本体電極からの接触圧を、本体電極との接点部の直交方向両側において受けることができる。
（８）また、カートリッジ電極は、直交方向一端部に設けられた基端部と、基端部の直交方向他方側に連続され、基端部よりも高い剛性を有する剛性部とを備えていてもよい。この場合、保持部は、剛性部を保持するように構成されていてもよい。
【００２６】
このような構成によれば、基端部よりも高い剛性を有する剛性部において、より確実に、本体電極からの接触圧を受けることができる。
（９）また、第２位置は、第１位置よりも対向方向他方側に位置し、カートリッジ電極は、歯部に駆動力が伝達される前の状態で、第２位置に配置され、歯部に駆動力が伝達されることにより、第１位置に配置されてもよい。
【００２７】
このような構成によれば、移動部材が移動される前において、カートリッジ電極を第１位置よりも対向方向他方側に配置することができる。
【００２８】
そのため、移動部材が移動される前において、カートリッジ電極が、周囲の部材の対向方向一方側からの干渉により破損することを抑制できる。
（１０）また、第２位置は、第１位置よりも対向方向他方側に位置し、カートリッジ電極は、歯部に駆動力が伝達される前の状態で、第１位置に配置され、歯部に駆動力が伝達されることにより、一旦、第２位置に配置され、その後、再び第１位置に配置されてもよい。
【００２９】
このような構成によれば、カートリッジ電極は、移動部材が移動される前において、第１位置に配置され、移動部材が移動されることにより、第１位置よりも対向方向他方側の第２位置に配置される。
【００３０】
つまり、本体電極は、カートリッジ電極が第１位置に配置されたときには、対向方向一方側に配置され、カートリッジ電極が第２位置に配置されたときには、対向方向他方側に配置される。
【００３１】
そのため、本体電極を、常には、対向方向他方側に配置されるように構成すれば、カートリッジを装置本体に装着したときに、本体電極を対向方向一方側へ移動させて、カートリッジの装着状態を検知することができる。
【００３２】
また、移動部材が移動されることにより、本体電極を、一旦、対向方向他方側へ配置させ、その後、対向方向一方側へ配置させて、カートリッジの状態（新旧）を検知することができる。
【００３３】
その結果、本体電極を対向方向一方側と対向方向他方側との２つの位置の間で移動させて、カートリッジの装着状態と、カートリッジの状態（新旧）との両方を検知することができる。
（１１）また、装置本体は、本体電極の位置を検知する検知手段をさらに有していてもよい。この場合、判断手段は、所定時間内に、検知手段が、カートリッジ電極が第１位置に配置されたときの本体電極の位置を検知したときに、カートリッジが装置本体に装着されていると判断し、所定時間内に、検知手段が、カートリッジ電極が第１位置に配置されたときの本体電極の位置を検知しなかったときに、カートリッジが装置本体から離脱されていると判断してもよい。
【００３４】
このような構成によれば、本体電極の位置を検知することにより、簡易な構成で、装置本体内におけるカートリッジの有無を検知することができる。
（１２）また、本発明のカートリッジは、現像剤を収容するように構成され、第１側壁と、第１側壁の一方側に間隔を隔てて対向配置される第２側壁とを含む筐体と、第１側壁または第２側壁に設けられ、外部からの駆動力を受けるための駆動入力部と、第２側壁に設けられ、外部から給電されるためのカートリッジ電極とを備える。
【００３５】
また、本発明のカートリッジは、カートリッジ電極と対向配置するように第２側壁に設けられ、駆動入力部に入力された駆動力が伝達されることにより所定の移動量で移動されるように構成された移動部材であって、カートリッジ電極を、外部から給電される第１位置から、対向方向に移動される第２位置を経て、再び、第１位置へ移動させる移動部材とを備える。
【００３６】
このような構成によれば、カートリッジ電極を、第１位置と第２位置との間で移動させることができる。
【００３７】
そのため、カートリッジ電極の移動を外部から検知すれば、カートリッジ電極を利用して、カートリッジの状態を検知することができる。
【００３８】
そのため、外部から検知されるための部材を別途設ける必要がなく、カートリッジの構成を簡略化することができる。
【発明の効果】
【００３９】
本発明の画像形成装置によれば、カートリッジ電極と本体電極との位置決め精度を確保するだけで、カートリッジへの給電、および、カートリッジの状態の検知の両方を、実施することができ、確実に、カートリッジの状態を検知することができる。
【００４０】
また、本発明のカートリッジによれば、カートリッジ電極を利用して、カートリッジの状態を検知することができ、カートリッジの構成を簡略化することができる。
【図面の簡単な説明】
【００４１】
【図１】図１は、本発明の画像形成装置の第１実施形態としてのプリンタの中央断面図を示す。
【図２】図２は、図１に示す現像カートリッジの右前側から見た斜視図である。
【図３】図３は、図２に示す現像カートリッジの右前側から見た斜視図であり、給電カバーを外した状態を示す。
【図４】図４は、図３に示す移動部材を示し、（ａ）は、右側から見た斜視図であり、（ｂ）は、左側から見た斜視図である。
【図５】図５は、新品検知動作におけるカートリッジ電極の移動を説明するための説明図であって、（ａ）は、ウォームアップ動作の途中の状態（カートリッジ電極：第２位置）を示し、（ｂ）は、ウォームアップ動作が終了した状態（カートリッジ電極：第１位置）を示す。
【図６】図６は、新品検知動作におけるカートリッジ電極、本体電極およびアクチュエータの移動を説明するための説明図であって、（ａ）は、ウォームアップ動作の途中の状態（カートリッジ電極：第２位置、本体電極：進出位置、アクチュエータ：非遮光位置）を示し、（ｂ）は、ウォームアップ動作が終了した状態（カートリッジ電極：第１位置、本体電極：退避位置、アクチュエータ：遮光位置）を示す。
【図７】図７は、図６とともに、新品検知動作におけるカートリッジ電極、本体電極およびアクチュエータの移動を説明するための説明図であって、（ａ）は、ウォームアップ動作の途中の状態（カートリッジ電極：第２位置、本体電極：進出位置、アクチュエータ：非遮光位置）を示し、（ｂ）は、ウォームアップ動作が終了した状態（カートリッジ電極：第１位置、本体電極：退避位置、アクチュエータ：遮光位置）を示す。
【図８】図８は、第２実施形態における新品検知動作を説明する説明図であって、（ａ）は、ウォームアップ動作が開始される前の状態（カートリッジ電極：第２位置）を示し、（ｂ）は、ウォームアップ動作が終了した状態（カートリッジ電極：第１位置）を示す。
【図９】図９は、第３実施形態における移動部材を示し、（ａ）は、右側から見た斜視図であり、（ｂ）は、左側から見た斜視図である。
【図１０】図１０は、第３実施形態における新品検知動作を説明する説明図であって、（ａ）は、現像カートリッジが装着されていない状態（本体電極：進出位置、アクチュエータ：第１非遮光位置）を示し、（ｂ）は、現像カートリッジが装着されて、ウォームアップ動作が開始される前の状態（カートリッジ電極：第１位置、本体電極：基準位置、アクチュエータ：遮光位置）を示し、（ｃ）は、ウォームアップ動作の途中の状態（カートリッジ電極：第２位置、本体電極：退避位置、アクチュエータ：第２非遮光位置）を示す。
【発明を実施するための形態】
【００４２】
１．プリンタの全体構成
図１に示すように、画像形成装置の一例としてのプリンタ１は、横置きタイプのダイレクトタンデム型カラープリンタである。
【００４３】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００４４】
プリンタ１は、略ボックス形状の装置本体の一例としての本体ケーシング２を備えている。本体ケーシング２の上端部には、本体開口部５を開閉するトップカバー６が、その後端部を支点として揺動可能に設けられている。プリンタ１は、各色に対応する４つのプロセスカートリッジ１１を備えている。
【００４５】
各プロセスカートリッジ１１は、本体ケーシング２内に着脱可能に設けられ、互いに前後方向に沿って間隔を隔てて並列配置されている。各プロセスカートリッジ１１は、ドラムカートリッジ２４と、ドラムカートリッジ２４に着脱可能に装着されるカートリッジの一例としての現像カートリッジ２５とを備えている。
【００４６】
ドラムカートリッジ２４は、感光ドラム１５を備えている。
【００４７】
感光ドラム１５は、左右方向に長手の円筒形状に形成されており、ドラムカートリッジ２４に回転可能に設けられている。
【００４８】
現像カートリッジ２５は、現像ローラ１６を備えている。
【００４９】
現像ローラ１６は、左右方向に延びる金属製の現像ローラ軸３０を備え、現像カートリッジ２５の後端部において後側から露出されるように設けられ、感光ドラム１５に対して前上側から接触されている。
【００５０】
また、現像カートリッジ２５は、現像ローラ１６にトナーを供給する供給ローラ２７、現像ローラ１６に供給されたトナーの厚みを規制する層厚規制ブレード２８を備え、それらの上側に設けられるトナー収容部４６内には、現像剤の一例としてのトナーが収容され、トナーを攪拌するためのアジテータ４７が設けられている。アジテータ４７は、左右方向に延びるアジテータ軸４８と、アジテータ軸４８からアジテータ軸４８の径方向外側に延びる攪拌羽根４９とを備えている。
【００５１】
トナー収容部４６内のトナーは、供給ローラ２７と現像ローラ１６との間で正極性に摩擦帯電され、層厚規制ブレード２８により、一定厚さの薄層として現像ローラ１６の表面に担持される。
【００５２】
一方、各感光ドラム１５の表面には、スコロトロン型帯電器２６によって一様に帯電された後、ＬＥＤユニット１２によって所定の画像データに基づいて露光されることにより、画像データに基づく静電潜像が形成される。そして、現像ローラ１６に担持されるトナーが各感光ドラム１５の表面上の静電潜像に供給されることにより、感光ドラム１５の表面上にトナー像（現像剤像）が担持される。
【００５３】
用紙Ｓは、本体ケーシング２の底部に設けられる給紙トレイ７内に収容されており、ピックアップローラ８、給紙ローラ９、および、１対のレジストローラ１０によって、後上側へＵターンするように搬送されて、所定のタイミングで１枚ずつ、感光ドラム１５と搬送ベルト１９との間に給紙される。そして、搬送ベルト１９によって、各感光ドラム１５と各転写ローラ２０との間を前側から後側に向かって搬送される。このとき、用紙Ｓに、各色のトナー像が順次転写され、カラー画像が形成される。
【００５４】
そして、用紙Ｓは、加熱ローラ２１と加圧ローラ２２との間を通過するときに加熱および加圧される。このとき、用紙Ｓには、カラー画像が熱定着される。
【００５５】
その後、用紙Ｓは、前上側へＵターンするように搬送されて、トップカバー６に設けられる排紙トレイ２３に排紙される。
２．現像カートリッジの詳細
現像カートリッジ２５は、図２および図３に示すように、筐体の一例としてのカートリッジフレーム３１と、カートリッジフレーム３１の左側に配置される駆動入力部の一例としての駆動ユニット３２と、カートリッジフレーム３１の右側に配置される給電ユニット３３とを備えている。
【００５６】
なお、現像カートリッジ２５の説明において、方向について言及するときには、現像ローラ１６が配置されている側を現像カートリッジ２５の後側とし、層厚規制ブレード２８が配置されている側を上側とする。すなわち、現像カートリッジ２５に関する上下前後方向は、プリンタ１に関する上下前後方向と相異なり、現像カートリッジ２５は、その後側がプリンタ１の後下側、その前側がプリンタ１の前上側となるように、プリンタ１およびドラムカートリッジ２４に装着されている。
（１）カートリッジフレーム
カートリッジフレーム３１は、左右方向（対向方向）に延びる略ボックス形状に形成されている。カートリッジフレーム３１は、左右１対の側壁３４、前壁３５、下壁３６および上壁３７を備えている。なお、以下の説明において、第１側壁の一例としての左側の側壁３４を左壁３４Ｌとし、第２側壁の一例としての右側の側壁３４を右壁３４Ｒとする。
【００５７】
両側壁３４は、上下前後に延びる側面視略矩形状に形成され、互いに左右方向に間隔を隔てて対向配置されている。また、両側壁３４には、アジテータ軸露出穴３８が形成されている。
【００５８】
アジテータ軸露出穴３８は、側壁３４の前後方向略中央において、側面視略円形状に貫通形成されている。アジテータ軸露出穴３８の直径は、アジテータ軸４８の左右方向端部の直径よりも大径に形成されている。そして、アジテータ軸４８の左右方向端部は、アジテータ軸露出穴３８を介して、側壁３４から左右方向外側へ露出されている。アジテータ軸４８の左右方向両端部には、アジテータギヤ４５が相対回転不能に支持されている。
【００５９】
前壁３５は、左右方向に延び、両側壁３４の前端部間に架設されている。
【００６０】
下壁３６は、左右方向に延び、前壁３５の下端部に連続するように、両側壁３４の下端部間に架設されている。
【００６１】
上壁３７は、左右方向に延び、前壁３５の上端部に連続するように、両側壁３４の上端部間に架設されている。上壁３７の後端部には、層厚規制ブレード２８が、現像ローラ１６に上側から接触されるように配置されている。
（２）駆動ユニット
駆動ユニット３２は、図２に示すように、駆動側カバー４１を備えている。
【００６２】
駆動側カバー４１は、左右方向に延び、左端部が閉鎖された略角筒形状に形成され、現像カートリッジ２５の左端部を被覆している。駆動側カバー４１には、カラー部４２が設けられている。
【００６３】
カラー部４２は、駆動側カバー４１の前後方向略中央の左壁から左側へ突出する略円筒形状に形成されている。なお、カラー部４２の右端部は、駆動側カバー４１内に連通されている。
【００６４】
そして、カラー部４２内には、左右方向に延びる略円柱形状の現像カップリング（図示せず）が相対回転可能に支持されている。現像カップリング（図示せず）の左端部は、カラー部４２の左端部から左側へ露出されている。現像カップリング（図示せず）の左端部には、本体ケーシング２内の本体カップリング（図示せず）が相対回転不能に嵌合され、本体カップリング（図示せず）を介して、本体ケーシング２から駆動力が入力される。現像カップリング（図示せず）に入力された駆動力は、ギヤ列（図示せず）を介して、現像ローラ１６の現像ローラ軸３０、供給ローラ２７の供給ローラ軸、および、アジテータ軸４８に伝達される。
（３）給電ユニット
給電ユニット３３は、図２および図３に示すように、軸受部材５１、移動部材５３、カートリッジ電極５２および給電側カバー５４を備えている。
（３−１）軸受部材
軸受部材５１は、現像カートリッジ２５の後端部において、右壁３４Ｒの右側に組み付けられており、導電性の樹脂材料などから側面視略矩形の平板形状に形成されている。軸受部材５１は、現像ローラ軸支持部５５と、電極支持部５６とを備えている。
【００６５】
現像ローラ軸支持部５５は、軸受部材５１の後端部に配置され、軸受部材５１の右面から右側へ延びる略円筒形状に形成されている。現像ローラ軸支持部５５の内径は、現像ローラ軸３０の右端部と略同径（わずかに大径）に形成されている。なお、軸受部材５１には、現像ローラ軸支持部５５と中心軸線を共有するように、現像ローラ軸支持部５５の内径と同径の開口（図示せず）が形成されている。そして、現像ローラ軸３０は、その右端部において、現像ローラ軸支持部５５内に回転可能に支持されている。
【００６６】
電極支持部５６は、軸受部材５１の前端部に配置され、軸受部材５１の右面から右側へ突出し、上下方向に延びる略平板形状に形成されている。電極支持部５６の右端部には、カートリッジ電極５２を係止する係止ボス５７が設けられている。
【００６７】
係止ボス５７は、電極支持部５６の右端面から右側へ突出する略円柱形状に形成されている。係止ボス５７は、上下方向に互いに間隔を隔てて対向配置されている。
（３−２）移動部材
移動部材５３は、図３および図４に示すように、軸受部材５１の後側に配置されている。移動部材５３は、ベース部６１、変位部６２、受け部６３および欠け歯ギヤ６４を一体的に備えている。
【００６８】
ベース部６１は、左右方向に厚みを有し、中心部分に貫通穴が形成された略円板形状に形成されている。
【００６９】
変位部６２は、ベース部６１の中心軸線を中心として、ベース部６１の周方向に沿って、中心角が約２７０°の略円弧形状に形成され、２つの凸部６５と、１つの凹部６６とを有している。
【００７０】
凸部６５は、変位部６２の周方向両端部において、互いに約１８０°の間隔を隔てて配置されている。凸部６５は、ベース部６１の右面から右側へ膨出するように、ベース部６１の周方向に沿って延び、中心角が約９０°の平面視略扇形状に形成されている。なお、以下の説明において、カートリッジ電極５２と移動部材５３との左右対向位置を基準として、右側面視反時計回り方向下流側の凸部６５を第１凸部６５Ａとし、右側面視反時計回り方向上流側の凸部６５を第２凸部６５Ｂとする。
【００７１】
凹部６６は、両凸部６５の間に挟まれるように、ベース部６１の右面と、各凸部６５とによって、中心角が約９０°の平面視略扇形状に区画されている。すなわち、凹部６６は、凸部６５から左側（対向方向他方側）に凹んでいる。凹部６６の右側面視反時計回り方向上流側の第１傾斜面の一例としての第１端面６７は、右側面視反時計回り方向において下流側から上流側へ向かうに従って、右側へ傾斜されている。また、凹部６６の右側面視反時計回り方向下流側の第２傾斜面の一例としての第２端面６８は、右側面視反時計回り方向において下流側から上流側へ向かうに従って、左側へ傾斜されている。
【００７２】
受け部６３は、変位部６２の右側面視反時計回り方向上流側端部から、右側面視反時計回り方向上流側へ向かって、ベース部６１の周方向に対する接線方向（変位部６２の右側面視反時計回り方向上流側端部を通る接線方向）に沿って延び、側面視略矩形状に形成されている。
【００７３】
欠け歯ギヤ６４は、ベース部６１と中心軸線を共有するように、ベース部６１の左面から左側へ延びる略円筒形状に形成されている。欠け歯ギヤ６４の周面には、変位部６２に対応するように、中心角が約２７０°をなす部分にギヤ歯が形成されている。詳しくは、ギヤ歯は、右側面視反時計回り方向において、その上流側端部が、変位部６２の上流側端部の下側に配置され、その下流側端部が、変位部６２の下流側端部の下側に配置されるように、形成されている。なお、欠け歯ギヤ６４において、ギヤ歯が形成されている部分が歯部６９であり、ギヤ歯が形成されていない部分が欠け歯部７０である。
【００７４】
そして、移動部材５３は、右壁３４Ｒの右側において、ベース部６１の中心軸線を中心として、回転可能に支持されている。
【００７５】
また、現像カートリッジ２５が新品（未使用）の状態では、移動部材５３の欠け歯ギヤ６４は、歯部６９の右側面視反時計回り方向下流側端部において、アジテータギヤ４５に後側から噛合されている。
【００７６】
この状態において、第１凸部６５Ａは、移動部材５３の上端部に配置されている。
（３−３）カートリッジ電極
カートリッジ電極５２は、図３に示すように、金属などの剛性と導電性とを兼ね備えた材料からなり、剛性部の一例としての被給電部７２と、基端部の一例としての被係止部７１とを一体的に備えている。
【００７７】
被給電部７２は、前後方向（直交方向）に延び、その前後方向両端部が左側へ屈曲（または湾曲）されるように、左側が開放された平面視略Ｕ字形状に形成されている。詳しくは、被給電部７２は、前後方向に延びる側面視略矩形状の本体部７３と、本体部７３の前後方向両端部から左側へそれぞれ延びる２つの脚部７５とを一体的に備えている。なお、本体部７３の前後方向略中央には、本体電極８１（後述）が接触される（図６（ｂ）参照）。すなわち、本体部７３の前後方向略中央部分が、本体電極８１（後述）との接点部７６として機能する。
【００７８】
被係止部７１は、被給電部７２の後端部において、互いに上下方向に間隔を隔てて１つずつ配置されている。被係止部７１は、被給電部７２の後端部（直交方向一端部、具体的には、後側の脚部７５）の左端部から連続して後側へ延びる略杆形状に形成されている。被係止部７１の上下方向長さは、被給電部７２の上下方向長さよりも短い。これにより、被係止部７１の剛性は、被給電部７２の剛性よりも低く設定されている。また、被係止部７１の後端部には、軸受部材５１の係止ボス５７が嵌合される嵌合穴７４が貫通形成されている。
【００７９】
そして、カートリッジ電極５２は、その嵌合穴７４内に係止ボス５７が遊びを有して嵌合されることにより、軸受部材５１の電極支持部５６に係止されている。これにより、カートリッジ電極５２は、軸受部材５１に電気的に接続されるとともに、被係止部７１の後端部を支点として、第１位置（図６（ｂ）参照）と、第１位置から左側へ移動される第２位置（図６（ａ）参照）とに左右方向に揺動される。
【００８０】
また、現像カートリッジ２５が新品（未使用）の状態では、カートリッジ電極５２は、被給電部７２の前側（直交方向他方側）の脚部７５において、移動部材５３の第１凸部６５Ａに、右側（対向方向一方側）から当接され、第１位置に配置されている。
（３−４）給電側カバー
給電側カバー５４は、図２に示すように、右端部が閉鎖された側面視略矩形の枠形状に形成されている。給電側カバー５４は、カートリッジ電極５２および移動部材５３を収容するように、現像カートリッジ２５の右端部を被覆している。給電側カバー５４には、電極露出開口５８が形成されている。
【００８１】
電極露出開口５８は、給電側カバー５４の前端部において、側面視略矩形状に貫通形成されている。
【００８２】
現像カートリッジ２５が新品（未使用）の状態において、カートリッジ電極５２は、その本体部７３の右面が給電側カバー５４の右面と略面一になるように、電極露出開口５８から露出される。
３．本体ケーシング
本体ケーシング２内には、図６および図７に示すように、本体電極８１と、アクチュエータ８２と、フォトセンサ８３と、判断手段の一例としてのＣＰＵ８４とが設けられている。
【００８３】
本体電極８１は、本体ケーシング２内において現像カートリッジ２５の右側近傍に設けられ、金属から左右方向に延びる略円柱形状に形成されている。本体電極８１は、本体ケーシング２に、左側へ進出された進出位置（図７（ａ）参照）と、進出位置から右側へ退避された退避位置（図７（ｂ）参照）とに、左右方向にスライド可能に支持され、本体ケーシング２内の電源（図示せず）に電気的に接続されている。
【００８４】
アクチュエータ８２は、上下方向に延びる略円筒形状の揺動軸８５と、揺動軸８５から前側に延びる当接レバー８６と、揺動軸８５から後側に延びる遮光レバー８７とを一体的に備えている。遮光レバー８７には、その後端部から下側へ延びる遮光板８８が設けられている。
【００８５】
そして、アクチュエータ８２は、当接レバー８６が本体電極８１の右端部に当接するように、現像カートリッジ２５の右側近傍において、揺動軸８５を支点として、本体ケーシング２に揺動可能に支持されている。
【００８６】
アクチュエータ８２は、当接レバー８６が前左側に延び、遮光レバー８７が後右側に延びる非遮光位置（図６（ａ）参照）と、当接レバー８６および遮光レバー８７が前後方向に沿う遮光位置（図６（ｂ）参照）とに揺動可能に設けられている。アクチュエータ８２は、ばねなどの付勢手段（図示せず）により、常には、非遮光位置に配置されるように、平面視時計回り方向に付勢されている。
【００８７】
フォトセンサ８３は、検知光を発光する発光素子８９と、発光素子８９の後側に間隔を隔てて対応配置され、検知光を受光する受光素子９０とを備えている。フォトセンサ８３は、遮光位置におけるアクチュエータ８２の遮光板８８を、発光素子８９と受光素子９０とで前後方向から挟むように、アクチュエータ８２の後側に配置されている。フォトセンサ８３は、アクチュエータ８２とともに、検知手段を構成する。
【００８８】
そして、アクチュエータ８２が遮光位置に配置されているときには、アクチュエータ８２の遮光板８８が発光素子８９と受光素子９０との間に介在されて、フォトセンサ８３の発光素子８９からの検知光が、遮光レバー８７の遮光板８８により遮光される。
【００８９】
一方、アクチュエータ８２が非遮光位置に配置されているときには、アクチュエータ８２の遮光板８８が発光素子８９と受光素子９０との間から右側へ退避されて、フォトセンサ８３の発光素子８９からの検知光が、受光素子９０によって受光される。すると、フォトセンサ８３からオン信号が出力される。
【００９０】
ＣＰＵ８４は、本体ケーシング２内に設けられ、フォトセンサ８３からのオン信号を受信可能に、フォトセンサ８３に電気的に接続されている。
４．現像カートリッジの新品検知動作
以下、現像カートリッジ２５の新品検知動作を説明する。
【００９１】
まず、本体ケーシング２内にプロセスカートリッジ１１が装着されていないときには、アクチュエータ８２が付勢手段（図示せず）の付勢力によって非遮光位置に配置されて、本体電極８１が進出位置に配置されている。これにより、フォトセンサ８３は、ＣＰＵ８４にオン信号を発信する。
【００９２】
すると、ＣＰＵ８４は、フォトセンサ８３からオン信号を受信したことにより、本体電極８１が進出位置に配置されていると判断する。
【００９３】
そして、ＣＰＵ８４は、この状態（本体電極８１が進出位置に配置されている状態）で所定時間が経過すると（すなわち、所定時間内にフォトセンサ８３からのオン信号が停止されないと）、現像カートリッジ２５が本体ケーシング２から離脱されていると判断する。
【００９４】
そして、本体ケーシング２のトップカバー６を開放して、新品（未使用）の現像カートリッジ２５が装着されたプロセスカートリッジ１１を本体ケーシング２に前上側から挿入すると、図７（ｂ）に示すように、カートリッジ電極５２の本体部７３が左側から本体電極８１の左端部に接触される。
【００９５】
すると、アクチュエータ８２の付勢手段（図示せず）の付勢力に抗して、本体電極８１が右側へ押圧されて退避位置に配置され、アクチュエータ８２が平面視反時計回り方向に揺動されて遮光位置に配置される。
【００９６】
これにより、フォトセンサ８３は、ＣＰＵ８４に対するオン信号の発信を停止する。すなわち、検知手段（アクチュエータ８２およびフォトセンサ８３）は、カートリッジ電極５２が第１位置に配置され、本体電極８１が退避位置に配置されていることを検知する。
【００９７】
すると、ＣＰＵ８４は、フォトセンサ８３からのオン信号が途切れたことにより、本体電極８１が進出位置から退避位置へ移動されたと判断する。
【００９８】
そして、現像カートリッジ２５が本体ケーシング２に装着されると、本体ケーシング２内の本体カップリング（図示せず）が駆動ユニット３２の現像カップリング（図示せず）に相対回転不能に嵌合される。そして、本体カップリング（図示せず）を介して、現像カップリング（図示せず）に本体ケーシング２から駆動力が入力され、ウォーミングアップ動作が開始される。
【００９９】
すると、現像カップリング（図示せず）から、ギヤ列（図示せず）を介して、アジテータ軸４８に駆動力が伝達され、アジテータ４７が回転される。
【０１００】
そして、アジテータ４７が回転されると、図３に示すように、アジテータ軸４８およびアジテータギヤ４５を介して、移動部材５３の欠け歯ギヤ６４の歯部６９に駆動力が伝達され、移動部材５３が右側面視反時計回りに回転される。
【０１０１】
すると、図５（ａ）に示すように、カートリッジ電極５２は、移動部材５３の第１凸部６５Ａから、右側面視時計回り方向に相対移動され、その前側の脚部７５において、凹部６６に対向される。つまり、カートリッジ電極５２は、凹部６６の凹みの分、左側への移動が許容される。
【０１０２】
そして、カートリッジ電極５２は、アクチュエータ８２の付勢手段（図示せず）の付勢力により、本体電極８１を介して左側へ押圧されて、その前側の脚部７５が凹部６６の第２端面６８の傾斜に沿って凹部６６内に受け入れられるように、被係止部７１の後端部を支点として左側へ揺動され、第２位置に配置される。
【０１０３】
これにより、図６（ａ）および図７（ａ）に示すように、カートリッジ電極５２の本体部７３は、給電側カバー５４の右面よりも左側へ退避される。
【０１０４】
同時に、アクチュエータ８２の付勢手段（図示せず）の付勢力により、本体電極８１が左側へ押圧されて進出位置に配置され、アクチュエータ８２が遮光位置から平面視時計回り方向に揺動されて非遮光位置に配置される。
【０１０５】
これにより、フォトセンサ８３は、ＣＰＵ８４にオン信号を出力する。すなわち、検知手段（アクチュエータ８２およびフォトセンサ８３）は、カートリッジ電極５２が第２位置に配置されたことを検知する。
【０１０６】
すると、ＣＰＵ８４は、フォトセンサ８３からのオン信号を受信したことにより、本体電極８１が退避位置から進出位置へ移動されたと判断する。
【０１０７】
そして、さらに移動部材５３が右側面視反時計回りに回転されると、カートリッジ電極５２は、凹部６６から右側面視時計回り方向に相対移動される。
【０１０８】
すると、カートリッジ電極５２の前側の脚部７５は、凹部６６の第１端面６７の傾斜に沿って、アクチュエータ８２の付勢手段（図示せず）の付勢力に抗して本体電極８１を右側へ押圧するように、第２凸部６５Ｂに乗り上げる。
【０１０９】
これにより、カートリッジ電極５２は、アクチュエータ８２の付勢手段（図示せず）の付勢力に抗して、被係止部７１の後端部を支点として、第２位置から右側へ揺動され、第１位置に配置される。
【０１１０】
このとき、図６（ｂ）および図７（ｂ）に示すように、カートリッジ電極５２の本体部７３は、その右面が給電側カバー５４の右面と略面一となるように、右側へ進出される。
【０１１１】
同時に、アクチュエータ８２の付勢手段（図示せず）の付勢力に抗して、本体電極８１が右側へ押圧されて退避位置に配置され、アクチュエータ８２が非遮光位置から平面視反時計回り方向に揺動されて遮光位置に配置される。
【０１１２】
これにより、フォトセンサ８３は、ＣＰＵ８４に対するオン信号の発信を停止する。すなわち、検知手段（アクチュエータ８２およびフォトセンサ８３）は、カートリッジ電極５２が第１位置に配置されたことを検知する。
【０１１３】
すると、ＣＰＵ８４は、フォトセンサ８３からのオン信号が途切れたことにより、本体電極８１が進出位置から退避位置へ移動されたと判断する。
【０１１４】
そして、さらに移動部材５３が右側面視反時計回りに回転されると、図５（ｂ）に示すように、移動部材５３の欠け歯部７０がアジテータギヤ４５に対向されて、移動部材５３の歯部６９とアジテータギヤ４５との噛合が解除され、移動部材５３の回転駆動が停止され、ウォーミングアップ動作が終了する。
【０１１５】
このとき、図６（ｂ）に示すように、カートリッジ電極５２の被給電部７２は、前側の脚部７５が、第２凸部６５Ｂの後端部（移動部材５３が停止した状態における後端部）に支持され、後側の脚部７５が、受け部６３の後端部（移動部材５３が停止した状態における後端部）に支持されることにより、第１位置に保持される。つまり、移動部材５３が停止した状態において、第２凸部６５Ｂの後端部から受け部６３の後端部までが保持部として機能する。
【０１１６】
また、本体電極８１の左端部は、カートリッジ電極５２の接点部７６に右側から接触されている。そして、本体ケーシング２内の電源（図示せず）から本体電極８１を介してカートリッジ電極５２に現像バイアス（電力）が供給されると、軸受部材５１を介して、現像ローラ軸３０に現像バイアスが供給される。
【０１１７】
そして、ＣＰＵ８４は、ウォーミングアップ動作が開始された後に、本体電極８１が退避位置から進出位置へ移動され、その後、再び退避位置に移動されたと判断したときに、現像カートリッジ２５が新品（未使用）であると判断する。
【０１１８】
その結果、新品の現像カートリッジ２５が装着されると、ＣＰＵ８４は、その現像カートリッジ２５が新品であると判断し、その現像カートリッジ２５の装着時から実際の画像形成枚数を計測して、実際の画像形成枚数が、その現像カートリッジ２５の規定の画像形成枚数（例えば、６０００枚）を超える直近に、図示しない操作パネルなどに、現像カートリッジ２５の交換時期であることの通知を表示する。
【０１１９】
なお、ＣＰＵ８４は、所定時間内にフォトセンサ８３からのオン信号が停止されたとき（すなわち、本体電極８１が退避位置に配置されたと判断したとき）に、現像カートリッジ２５が本体ケーシング２に装着されていると判断する。
【０１２０】
一方、新品の現像カートリッジ２５を装着した後に、たとえば、用紙Ｓの詰まり（ジャム）などによって、一旦、その現像カートリッジ２５を本体ケーシング２から離脱させ、再び本体ケーシング２に装着したときには、移動部材５３は、欠け歯ギヤ６４の欠け歯部７０がアジテータギヤ４５と対向する位置で停止されている。
【０１２１】
そのため、再装着において、ウォーミングアップ動作が実行されても、移動部材５３は回転駆動されず、新品検知動作は実施されない。このときには、カートリッジ電極５２が常に第１位置に配置されているため、ＣＰＵ８４は、常に、フォトセンサ８３からのオン信号を受信せず、本体電極８１が退避位置に配置されていると判断する。
【０１２２】
これにより、ＣＰＵ８４は、現像カートリッジ２５が本体ケーシング２に装着されていると判断する。また、ＣＰＵ８４は、その再装着された現像カートリッジ２５（旧品の現像カートリッジ２５）を、旧品であると判断する。
【０１２３】
そして、ＣＰＵ８４は、規定の画像形成枚数と、その新品と判断したときからの実際の画像形成枚数との比較を継続する。
５．作用効果
（１）このプリンタ１によれば、図７に示すように、カートリッジ電極５２に電気的に接続される本体電極８１を、カートリッジ電極５２の第１位置（図７（ａ）参照）と第２位置（図７（ｂ）参照）とへの移動に伴って移動させ、本体電極８１の移動により、現像カートリッジ２５の状態を新品であると判断することができる。つまり、カートリッジ電極５２を利用して、現像カートリッジ２５の新旧を検知することができる。
【０１２４】
そのため、カートリッジ電極５２と本体電極８１との位置決め精度を確保するだけで、現像カートリッジ２５への給電、および、現像カートリッジ２５の新旧の検知の両方を実施することができ、確実に、現像カートリッジ２５の新旧を検知することができる。
（２）また、このプリンタ１および現像カートリッジ２５によれば、図４（ａ）に示すように、移動部材５３は、凸部６５と、凸部６５から左側に凹む凹部６６とを備えている。
【０１２５】
そのため、簡易な構成で、カートリッジ電極５２を左右方向に移動させることができる。
【０１２６】
また、図６および図７に示すように、カートリッジ電極５２は、凸部６５と当接することにより第１位置に配置され、凹部６６と対向することにより第２位置に配置される。
【０１２７】
そのため、カートリッジ電極５２を、第１位置から第２位置へ、左側へ凹むように移動させることができる。
（３）また、このプリンタ１および現像カートリッジ２５によれば、図５（ａ）に示すように、カートリッジ電極５２を、凹部６６の第２端面６８に沿うように、第１位置から第２位置に向かって左側に揺動させることができる。
【０１２８】
また、図５（ｂ）に示すように、カートリッジ電極５２を、凹部６６の第１端面６７に沿うように、第２位置から第１位置に向かって右側に揺動させることができる。
【０１２９】
そのため、カートリッジ電極５２を左右方向に円滑に移動させることができる。
（４）また、このプリンタ１および現像カートリッジ２５によれば、図４に示すように、移動部材５３は、歯部６９と欠け歯部７０とを含む欠け歯ギヤ６４を備えている。
【０１３０】
そのため、移動部材５３を、確実に、所定の移動量で移動させることができる。
（５）また、このプリンタ１および現像カートリッジ２５によれば、図５に示すように、移動部材５３は、右側面視反時計回り方向に回転可能に設けられている。
【０１３１】
そのため、簡易な構成で確実に、カートリッジ電極５２を移動させることができる。
（６）また、このプリンタ１および現像カートリッジ２５によれば、図６（ｂ）に示すように、移動部材の移動が終了したときに、移動部材５３の受け部６３によって、カートリッジ電極５２を第１位置に保持することができる。
【０１３２】
そのため、移動部材５３の移動が終了した後において、カートリッジ電極５２と本体電極８１とを確実に接触させることができる。
【０１３３】
また、本体電極８１からの接触圧を、本体電極８１との接点部（本体部７３の前後方向略中央）の前後方向両側において受けることができる。
（７）また、このプリンタ１および現像カートリッジ２５によれば、図５（ｂ）および図６（ｂ）に示すように、被係止部７１よりも高い剛性を有する被給電部７２において、より確実に、本体電極８１からの接触圧を受けることができる。
（８）また、このプリンタ１によれば、図２および図３に示すように、カートリッジ電極５２は、移動部材５３が移動される前において、第１位置に配置され、図５（ａ）および図７（ａ）に示すように、移動部材５３が移動されることにより、第１位置よりも左側の第２位置に配置される。
【０１３４】
一方、本体電極８１は、図６（ｂ）に示すように、カートリッジ電極５２が第１位置に配置されたときには、退避位置に配置され、図６（ａ）に示すように、カートリッジ電極が第２位置に配置されたときには、進出位置に配置される。
【０１３５】
また、本体電極８１は、常には、付勢手段（図示せず）によって進出位置に配置されている。そのため、現像カートリッジ２５を本体ケーシング２に装着したときに、本体電極８１を退避位置へ移動させて、現像カートリッジ２５の装着状態を検知することができる。
【０１３６】
また、移動部材５３が移動されることにより、本体電極８１を、一旦、進出位置へ配置させ、その後、退避位置へ配置させて、現像カートリッジ２５の新旧を検知することができる。
【０１３７】
その結果、本体電極８１を進出位置と退避位置との間で移動させて、現像カートリッジ２５の装着状態と、現像カートリッジ２５の新旧との両方を検知することができる。
（９）また、このプリンタ１によれば、本体電極８１の位置を検知することにより、簡易な構成で、本体ケーシング２内における現像カートリッジ２５の有無を検知することができる。
（１０）また、この現像カートリッジ２５によれば、図７に示すように、カートリッジ電極５２を、第１位置（図７（ａ）参照）と第２位置（図７（ｂ）参照）との間で移動させることができる。
【０１３８】
そのため、カートリッジ電極５２の移動を、外部の構成（本体電極８１、アクチュエータ８２およびフォトセンサ８３）で検知すれば、カートリッジ電極５２を利用して、現像カートリッジ２５の新旧を検知することができる。
【０１３９】
そのため、別途、外部から検知されるための部材を設ける必要がなく、現像カートリッジ２５の構成を簡略化することができる。
６．第２実施形態
図８を参照して、現像カートリッジ２５の第２実施形態を説明する。なお、第２実施形態において、上記した第１実施形態と同様の部材には同様の符号を付し、その説明を省略する。
【０１４０】
上記した第１実施形態では、移動部材５３を略円板形状に構成し、右側面視反時計回り方向に回転可能に設けたが、第２実施形態では、移動部材５３を略矩形平板形状に構成し、前後方向にスライド（直線移動）可能に設ける。
【０１４１】
また、上記した第１実施形態では、ＣＰＵ８４は、現像カートリッジ２５のウォーミングアップ動作が開始された後に、本体電極８１が退避位置から進出位置へ移動され、その後、再び退避位置に移動されたと判断したときに、現像カートリッジ２５が新品（未使用）であると判断している。
【０１４２】
しかし、第２実施形態では、ＣＰＵ８４は、現像カートリッジ２５のウォーミングアップ動作が開始された後に、本体電極８１が進出位置から退避位置へ移動されたと判断したときに、現像カートリッジ２５が新品（未使用）であると判断する。
【０１４３】
詳しくは、給電ユニット３３は、移動部材９６と、移動部材９６を前後方向にスライド可能に支持する支持レール９７と、移動部材９６に駆動力を入力するピニオンギヤ９８とを備えている。
【０１４４】
移動部材９６は、後側が開放された側面視略Ｕ字形状に形成されており、変位部９９と、欠け歯ギヤの一例としてのラック部１００とを備えている。
【０１４５】
変位部９９は、側面視略矩形の平板形状に形成されている。また、変位部９９の前端部は、後側へ向かうに従って右側へ傾斜されている。
【０１４６】
ラック部１００は、変位部９９の下端部から前側へ向かって延びる略杆形状に形成されている。ラック部１００の上面には、前端部から前後方向略中央までの間において、ギヤ歯が形成されている。ラック部１００において、ギヤ歯が形成されている部分が歯部９１であり、ギヤ歯が形成されていない部分が欠け歯部９２である。
【０１４７】
支持レール９７は、上下１対のレール部９５を備えている。両レール部９５は、上下方向に互いに間隔を隔てて対向配置されており、移動部材９６の上下両端部を上下方向外側からスライド可能に支持している。
【０１４８】
ピニオンギヤ９８は、両レール部９５間において、アジテータ軸４８の右端部に回転可能に支持されており、ラック部１００の歯部９１の前端部に上側から噛合されている。
【０１４９】
そして、本体ケーシング２内にプロセスカートリッジ１１が装着されていないときには、第１実施形態と同様に、アクチュエータ８２が付勢手段（図示せず）の付勢力によって非遮光位置に配置されて、本体電極８１が進出位置に配置されている。これにより、フォトセンサ８３は、ＣＰＵ８４にオン信号を出力する。
【０１５０】
そして、ＣＰＵ８４は、この状態（本体電極８１が進出位置に配置されている状態）で、所定時間が経過すると（すなわち、所定時間内にフォトセンサ８３からのオン信号が停止されないと）、現像カートリッジ２５が本体ケーシング２から離脱されていると判断する。
【０１５１】
そして、新品（未使用）の現像カートリッジ２５が本体ケーシング２に装着されると、本体ケーシング２内の本体カップリング（図示せず）が駆動ユニット３２の現像カップリング（図示せず）に相対回転不能に嵌合され、ウォーミングアップ動作が開始される。
【０１５２】
なお、現像カートリッジ２５が新品（未使用）の状態では、カートリッジ電極５２は、第２位置に配置されている（図８（ａ）参照）。
【０１５３】
すると、現像カップリング（図示せず）から、ギヤ列（図示せず）を介して、アジテータ軸４８に駆動力が伝達され、アジテータ４７が回転される。
【０１５４】
そして、アジテータ４７が回転されると、アジテータ軸４８およびピニオンギヤ９８を介して、移動部材９６のラック部１００に駆動力が伝達され、移動部材９６が前側にスライドされる。
【０１５５】
すると、カートリッジ電極５２の前側の脚部７５は、変位部９９の前端部の傾斜に沿って、アクチュエータ８２の付勢手段（図示せず）の付勢力に抗して本体電極８１を右側へ押圧するように、変位部９９の右面に乗り上げる。そして、ラック部１００の欠け歯部９２にピニオンギヤ９８が対向されると、ラック部１００とピニオンギヤ９８との噛合が解除されて、移動部材９６のスライドが停止される。これにより、ウォーミングアップ動作が終了する。
【０１５６】
これにより、カートリッジ電極５２は、アクチュエータ８２の付勢手段（図示せず）の付勢力に抗して、被係止部７１の後端部を支点として、第２位置から右側へ揺動され、第１位置に配置される。
【０１５７】
同時に、アクチュエータ８２の付勢手段（図示せず）の付勢力に抗して、本体電極８１が右側へ押圧されて退避位置に配置され、アクチュエータ８２が非遮光位置から平面視反時計回り方向に揺動されて遮光位置に配置される。
【０１５８】
これにより、フォトセンサ８３は、ＣＰＵ８４に対するオン信号の発信を停止する。すなわち、検知手段（アクチュエータ８２およびフォトセンサ８３）は、カートリッジ電極５２が第１位置に配置されたことを検知する。
【０１５９】
すると、ＣＰＵ８４は、フォトセンサ８３からのオン信号が途切れたことにより、本体電極８１が進出位置から退避位置へ移動されたと判断する。
【０１６０】
そして、ＣＰＵ８４は、ウォーミングアップ動作が開始された後に、本体電極８１が進出位置から退避位置へ移動されたと判断したときに、現像カートリッジ２５が新品（未使用）であると判断する。
【０１６１】
なお、ＣＰＵ８４は、所定時間内にフォトセンサ８３からのオン信号が停止されたとき（すなわち、本体電極８１が退避位置に配置されたと判断したとき）に、現像カートリッジ２５が本体ケーシング２に装着されていると判断する。
【０１６２】
第２実施形態によれば、図８（ａ）に示すように、移動部材９６は、前側に向かってスライド可能に設けられている。
【０１６３】
そのため、簡易な構成で確実に、カートリッジ電極５２を移動させることができる。
【０１６４】
また、第２実施形態によれば、移動部材９６がスライドされる前において、カートリッジ電極５２を第１位置よりも左側の第２位置に配置することができる。
【０１６５】
そのため、移動部材９６が移動される前において、カートリッジ電極５２が、周囲の部材の右側からの干渉により破損することを抑制できる。
【０１６６】
また、第２実施形態においても、上記した第１実施形態と同様の作用効果を得ることができる。
７．第３実施形態
図９および図１０を参照して、現像カートリッジ２５の第３実施形態を説明する。なお、第３実施形態において、上記した第１実施形態と同様の部材には同様の符号を付し、その説明を省略する。
【０１６７】
上記した第１実施形態では、移動部材５３は、２つ凸部６５を備えている。そして、両凸部６５の間に１つの凹部６６が区画されている。
【０１６８】
また、カートリッジ電極５２は、第１位置（図６（ｂ）参照）と、第１位置から左側へ移動される第２位置（図６（ａ）とに左右方向に揺動可能に設けられている。
【０１６９】
また、本体電極８１は、左側へ進出された進出位置（図７（ａ）参照）と、進出位置から右側へ退避された退避位置（図７（ｂ）参照）とに、左右方向にスライド可能に設けられている。
【０１７０】
また、アクチュエータ８２は、当接レバー８６が前左側に延び、遮光レバー８７が後右側に延びる非遮光位置（図７（ａ）参照）と、当接レバー８６および遮光レバー８７が前後方向に沿う遮光位置（図７（ｂ）参照）とに揺動可能に設けられている。
【０１７１】
そして、ＣＰＵ８４は、現像カートリッジ２５のウォーミングアップ動作が開始された後に、本体電極８１が退避位置から進出位置へ移動され、その後、再び退避位置に移動されたと判断したときに、現像カートリッジ２５が新品（未使用）であると判断している。
【０１７２】
しかし、第３実施形態では、図９に示すよう、移動部材５３に、１つの凸部６５を設ける。なお、凸部６５の両側（右側面視時計回り方向における上流側および下流側）が、それぞれ、凹部６６として機能する。
【０１７３】
また、カートリッジ電極５２を、第１位置（図１０（ｂ）参照）と、第１位置から右側へ移動される第２位置（図１０（ｃ）とに左右方向に揺動可能に設ける。
【０１７４】
また、本体電極８１を、プリンタ１の画像形成時にカートリッジ電極５２と接触される基準位置（図１０（ｂ）参照）と、基準位置から左側へ進出された進出位置（図１０（ａ）参照）と、基準位置から右側へ退避された退避位置（図１０（ｃ）参照）とに、左右方向にスライド可能に設ける。
【０１７５】
また、アクチュエータ８２を、当接レバー８６が前左側に延び、遮光レバー８７が後右側に延びる第１非遮光位置（図１０（ａ）参照）と、当接レバー８６および遮光レバー８７が前後方向に沿う遮光位置（図１０（ｂ）参照）と、当接レバー８６が前右側に延び、遮光レバー８７が後右側に延びる第２非遮光位置（図１０（ｃ）参照）とに揺動可能に設ける。アクチュエータ８２は、ばねなどの付勢手段（図示せず）により、常には、第１非遮光位置に配置されるように、平面視時計回り方向に付勢されている。
【０１７６】
そして、第３実施形態では、図１０（ａ）に示すように、本体ケーシング２内にプロセスカートリッジ１１が装着されていないときには、アクチュエータ８２が付勢手段（図示せず）の付勢力によって第１非遮光位置に配置されて、本体電極８１が進出位置に配置されている。これにより、フォトセンサ８３は、ＣＰＵ８４にオン信号を出力する。
【０１７７】
そして、ＣＰＵ８４は、この状態（本体電極８１が進出位置に配置されている状態）で、所定時間が経過すると（すなわち、所定時間内にフォトセンサ８３からのオン信号が停止されないと）、現像カートリッジ２５が本体ケーシング２から離脱されていると判断する。
【０１７８】
そして、新品（未使用）の現像カートリッジ２５が装着されると、図１０（ｂ）に示すように、カートリッジ電極５２の本体部７３が左側から本体電極８１の左端部に接触される。なお、現像カートリッジ２５が新品（未使用）の状態では、カートリッジ電極５２は、凸部６５の右側面視時計回り方向下流側のベース部６１に当接されるように（すなわち、右側面視時計回り方向下流側の凹部６６に対向するように）、第１位置に配置されている。
【０１７９】
すると、アクチュエータ８２の付勢手段（図示せず）の付勢力に抗して、本体電極８１が右側へ押圧されて基準位置に配置され、アクチュエータ８２が平面視反時計回り方向に揺動されて遮光位置に配置される。
【０１８０】
これにより、フォトセンサ８３は、ＣＰＵ８４に対するオン信号の発信を停止する。すなわち、検知手段（アクチュエータ８２およびフォトセンサ８３）は、カートリッジ電極５２が第１位置に配置され、本体電極８１が基準位置に配置されていることを検知する。
【０１８１】
すると、ＣＰＵ８４は、ウォーミングアップ動作前にフォトセンサ８３からのオン信号が途切れたことにより、本体電極８１が進出位置から基準位置へ移動されたと判断する。
【０１８２】
一方、現像カートリッジ２５が本体ケーシング２内に装着されると、ウォーミングアップ動作が開始され、移動部材５３が右側面視時計回りに回転される。
【０１８３】
すると、図１０（ｃ）に示すように、カートリッジ電極５２は、凸部６５の右側面視時計回り方向下流側の凹部６６から右側面視反時計回り方向に相対移動される。
【０１８４】
すると、カートリッジ電極５２の前側の脚部７５は、アクチュエータ８２の付勢手段（図示せず）の付勢力に抗して、本体電極８１を右側へ押圧するように、凸部６５に乗り上げる。
【０１８５】
これにより、カートリッジ電極５２は、アクチュエータ８２の付勢手段（図示せず）の付勢力に抗して、被係止部７１の後端部を支点として、第１位置から右側へ揺動され、第２位置に配置される。
【０１８６】
同時に、アクチュエータ８２の付勢手段（図示せず）の付勢力に抗して、本体電極８１が右側へ押圧されて退避位置に配置され、アクチュエータ８２が遮光位置から平面視反時計回り方向に揺動されて第２非遮光位置に配置される。
【０１８７】
これにより、フォトセンサ８３は、ＣＰＵ８４にオン信号を出力する。すなわち、検知手段（アクチュエータ８２およびフォトセンサ８３）は、カートリッジ電極５２が第２位置に配置されたことを検知する。
【０１８８】
すると、ＣＰＵ８４は、ウォーミングアップ動作が開始された後にフォトセンサ８３からのオン信号を受信したことにより、本体電極８１が基準位置から退避位置へ移動されたと判断する。
【０１８９】
そして、さらに移動部材５３が右側面視時計回りに回転されると、カートリッジ電極５２は、凸部６５から右側面視反時計回り方向に相対移動され、その前側の脚部７５において、右側面視時計回り方向上流側の凹部６６に対向されて、左側への移動が許容される。
【０１９０】
そして、カートリッジ電極５２は、アクチュエータ８２の付勢手段（図示せず）の付勢力により、本体電極８１を介して左側へ押圧されて、被係止部７１の後端部を支点として左側へ揺動され、第１位置に配置される。
【０１９１】
同時に、アクチュエータ８２の付勢手段（図示せず）の付勢力により、本体電極８１が左側へ押圧されて基準位置に配置され、アクチュエータ８２が第２非遮光位置から平面視時計回り方向に揺動されて遮光位置に配置される。
【０１９２】
これにより、フォトセンサ８３は、ＣＰＵ８４に対するオン信号の発信を停止する。すなわち、検知手段（アクチュエータ８２およびフォトセンサ８３）は、カートリッジ電極５２が第１位置に配置されたことを検知する。
【０１９３】
すると、ＣＰＵ８４は、フォトセンサ８３からのオン信号が途切れたことにより、本体電極８１が退避位置から基準位置へ移動されたと判断する。
【０１９４】
そして、さらに移動部材５３が右側面視反時計回りに回転されると、移動部材５３の欠け歯部７０がアジテータギヤ４５に対向されて、移動部材５３の歯部６９とアジテータギヤ４５との噛合が解除され、移動部材５３の回転駆動が停止され、ウォーミングアップ動作が終了する。
【０１９５】
そして、ＣＰＵ８４は、ウォーミングアップ動作が開始された後に、本体電極８１が基準位置から退避位置へ移動され、その後、再び基準位置に移動されたと判断したときに、現像カートリッジ２５が新品（未使用）であると判断する。
【０１９６】
なお、ＣＰＵ８４は、所定時間内にフォトセンサ８３からのオン信号が停止されたとき（すなわち、本体電極８１が基準位置に配置されたと判断したとき）に、現像カートリッジ２５が本体ケーシング２に装着されていると判断する。
【０１９７】
第３実施形態においても、上記した第１実施形態と同様の作用効果を得ることができる。
【符号の説明】
【０１９８】
１      プリンタ
２      本体ケーシング
２５    現像カートリッジ
３１    カートリッジフレーム
３２    駆動ユニット
３４Ｌ  左壁
３４Ｒ  右壁
５２    カートリッジ電極
５３    移動電極
６３    支持部
６４    欠け歯ギヤ
６５    凸部
６６    凹部
６７    第１端面
６８    第２端面
６９    歯部
７０    欠け歯部
７１    被係止部
７２    被給電部
７６    接点部
８１    本体電極
８２    アクチュエータ
８３    フォトセンサ
８４    ＣＰＵ
９１    歯部
９２    欠け歯部
９６    移動部材
【図１】
0005807491.tif 000002
【図２】
0005807491.tif 000003
【図３】
0005807491.tif 000004
【図４】
0005807491.tif 000005
【図５】
0005807491.tif 000006
【図６】
0005807491.tif 000007
【図７】
0005807491.tif 000008
【図８】
0005807491.tif 000009
【図９】
0005807491.tif 000010
【図１０】
0005807491.tif 000011